(57)【要約】【課題】  大きな地震に対して、墓石自体が破損が少なく、周りの化粧枠(外柵)や敷石などが倒壊や破損することが少ない構造の墓石を提供する。  【解決手段】    棹石を頂部として上台、中台、下台の順に積み重ねた墓石において、棹石の中腹部から上台と中台とを貫通し下台の中腹部に達する貫通孔を設け、該貫通孔に貫通孔全長よりは若干短い金属棒を嵌合し、該金属棒と貫通孔との間には柔軟材質の緩衝中空筒を介在させ、該緩衝中空筒の外径と貫通孔の内径とは所定の隙間を有して緩く嵌合し、棹石と上台との接合面には互いの回動を阻止し固着する複数の結合ピンを埋め込んだ墓石である。【選択図】図３
2005180130.tif 000002
【特許請求の範囲】
【請求項１】
棹石を頂部とし、少なくとも下台の順に積み重ねた墓石において、棹石の中腹部から下台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合したことを特徴とする墓石。
【請求項２】
棹石を頂部として上台から下台の順に積み重ねた墓石において、棹石の中腹部から上台を貫通し下台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合し、棹石と上台との接合面には互いの回動を阻止し固着する複数の結合ピンを埋め込んだことを特徴とする墓石。
【請求項３】
前記の請求項２の墓石において、中台と下台の接合面には複数の板状の免震ゴムパッドを介在させたことを特徴とする請求項２に記載の墓石。
【請求項４】
棹石を頂部として上台、中台、芝台の順に積み重ねた墓石において、棹石の中腹部から上台と中台とを貫通し芝台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合し、棹石と上台との接合面には互いの回動を阻止し固着する複数の結合ピンを埋め込んだことを特徴とする墓石。
【請求項５】
前記の請求項４の墓石において、上台と中台の接合面、又は、中台と芝台の接合面には複数の板状の免震ゴムパッドを介在させたことを特徴とする請求項４に記載の墓石。
【請求項６】
前記の請求項２乃至請求項５の墓石において、棹石と上台との接合面には複数の板状の免震ゴムパッドを介在させ、更に、互いの接合面に食い込むダボピンを設けたことを特徴とする請求項２乃至請求項５に記載の墓石
【発明の詳細な説明】
【技術分野】
【０００１】
本発明は、地震が起きても倒壊や破壊が少ない墓石の技術分野に属する。
【背景技術】
【０００２】
従来の墓石は、棹石を頂部として断面ほぼ正方形の上台、中台、下台の順に積み重ねた構造が多い。これらの積み重ねた棹石、上台、中台、下台は、互いに接触面は弾性接着剤などを用いて固定している(例えば、特許文献１、特許文献２)が、地震等が発生した場合は、墓石に重量があることから簡単に崩壊し、特に、宮城県北部地震のような直下型の大地震では棹石が上台の上方に１０cm以上飛びはねる場合もあり、墓石自体が破壊し修復も困難であった。
このため、棹石、上台、中台に弾性パイプなどを貫通させ、これらを強固に連結固定させて、棹石、上台、中台を離反させないように構成した墓石も知られている(例えば、特許文献３、特許文献４)。
しかしながら、これらの墓石は強固に連結固定されている耐震構造ため、震動の逃げ場がなく、これらの全体が下台と共に回動したり、倒れて墓石自体が破損し、また、墓石の周りの化粧枠(外柵)や敷石などにも破損被害を与えることが多く、修復に多大な費用を要していた。
【特許文献１】特開平１１−９３４６０号公報
【特許文献２】特開平１０−３７５３１号公報
【特許文献３】特開平９−１３７６３８号公報
【特許文献４】特許第２９５５５７７公報
【発明の開示】
【発明が解決しようとする課題】
【０００３】
本発明は、このような不都合に鑑みてなされたもので、大きな地震に対して、墓石自体の倒壊や破損が少なく、周りの化粧枠(外柵)や敷石などにも破損被害が少ない構造の墓石及び同等の石材構築物を提供しようとするものである。
【課題を解決するための手段】
【０００４】
上記の課題を解決するために、請求項１の発明は、棹石を頂部とし、少なくとも下台の順に積み重ねた墓石において、棹石の中腹部から下台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合したことを特徴とする墓石である。
【０００５】
請求項２の発明は、棹石を頂部として上台から下台の順に積み重ねた墓石において、棹石の中腹部から上台を貫通し下台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合し、棹石と上台との接合面には互いの回動を阻止し固着する複数の結合ピンを埋め込んだことを特徴とする墓石である。
請求項３の発明は、前記の請求項２の墓石において、中台と下台の接合面には複数の板状の免震ゴムパッドを介在させたことを特徴とする請求項２に記載の墓石である。
【０００６】
請求項４の発明は、棹石を頂部として上台、中台、芝台の順に積み重ねた墓石において、棹石の中腹部から上台と中台とを貫通し芝台の中腹部に達する貫通孔を設け、該貫通孔に貫通孔全長よりは若干短い硬質棒を嵌合し、該硬質棒と貫通孔との間には柔軟材質の緩衝中空筒を介在させ、該緩衝中空筒の外径と貫通孔の内径とは所定の隙間を有して緩く嵌合し、棹石と上台との接合面には互いの回動を阻止し固着する複数の結合ピンを埋め込んだことを特徴とする墓石である。
請求項５の発明は、前記の請求項４の墓石において、上台と中台の接合面、又は、中台と芝台の接合面には複数の板状の免震ゴムパッドを介在させたことを特徴とする請求項４に記載の墓石である。
【０００７】
請求項６の発明は、前記の請求項２乃至請求項５の墓石において、棹石と上台との接合には棹石と上台との接合面には複数の板状の免震ゴムパッドを介在させ、更に、互いの接合面に食い込むダボピンを設けたことを特徴とする請求項２乃至請求項５に記載の墓石である。
【発明の効果】
【０００８】
以上のような構成により、請求項１の発明は、大きな地震に対して、棹石と下台とが緩く結合して免震するが、中心部の金属棒等の硬質棒により倒壊は免れることができ、墓石自体に破損が少なく、かつ、周りの化粧枠(外柵)や敷石などが破損することが少ない構造の墓石であるという効果を有する。
請求項２、請求項４、及び、請求項６の発明は、請求項１の効果に加えて、棹石と上台などの破壊してはならない部分は強固に接合し、棹石がより倒れないようになるという効果を有する。
請求項３及び請求項５の発明は、前述した効果に加えて、中間部分の上台や中台が棹石に対して多少回動して震動を逃がす免震作用を有すことから、より棹石が倒れることがないので墓石自体に破損が少なく、かつ、周りの敷石などが倒壊や破損することが少ない構造の墓石であるという効果を有する。
【発明を実施するための最良の形態】
【０００９】
本発明は、棹石と下台などの中心に緩く嵌合する金属棒等の硬質棒を挿入したので、免震作用を有し、更に、棹石と上台などの破壊してはならない部分は強固に接合し、基部となる下台と上台や中台との接合は弱い接合状態として、地震の際に回動することを許容して震動を免震するが、これらの石が上下方向には貫通する金属棒からは脱離しないようにして、倒壊や大きな破壊を免れるようにしたものである。
【実施例】
【００１０】
本発明の好適な第１の実施例を図に沿って説明する。
図１は墓所の全体を示したもので、墓所の全体は外柵１で三方を区画され、前方の間口２は開放され、敷石２１が敷き詰められ、左右に墓前灯籠２２が設置される。
墓所の正面中央の奥には墓石３が設置されるが、墓石３の前の左右に花立２３が、中央には香呂２４が設置されている。
ここで、墓石３の詳細を、図３〜図６に沿って説明するが、墓石３は棹石３１を頂部として上台３２、中台３３、下台３４の順に積み重ねている。下台３４のの前には拝石３５が設けられ、拝石３５の上には前記花立２３と香呂２４が設けられ、これら下台３４の下は空洞の納骨堂３６が形成されている。
この納骨堂３６の側面は、矩形の枠体361と前方の腰石362とからなり、前面の枠体361aの側壁と前方の腰石362の中央部には通気孔363が設けられ、この通気孔363は外部と納骨堂３６の内部とを連通して外部の空気が導入されるように設けられる。また、下台３４には底面341から上方への比較的大径の通気孔343aと、この通気孔343aに連通して側方に屈曲し外部に通じる通気孔343bが設けられ、こうして、下台３４の底面341から外部の背側面342に通じる通気孔343が設けられている。
したがって、この下台３４に設けられた通気孔343は、腰石362の中央部に位置する通気孔363よりも上位に位置することから、外部の空気は通気孔363から導入し、湿った納骨堂３６内の空気を上方の通気孔343から外部に排出する。
【００１１】
次に、本発明の特徴部分である棹石、上台、中台、下台の免震構造を説明する。
棹石３１には、その底面311の中央部から棹碑３１内部の中腹部312にかけて、有底の直径が６０mmの有底孔313を設け、その下に位置する上台３２の上下面の中央部には孔313に連なる同径の６０mmの貫通孔321を設け、更に、上台３２の下に位置する中台３３の上下面の中央部にも貫通孔321に連なる同径の６０mmの貫通孔331を設け、中台３３の下に位置する下台３４の上面の中央部には下台３４内部の中腹部344までの有低の直径が６０mmの有底孔345が設けられている。
これらの有底孔313、貫通孔321、貫通孔331、有底孔345は、組み立て積み重ねた際に連通し、有底孔313の天井部312aから有底孔345の底部344aまでが直径６０mmの直線の孔部Ａを形成し、この孔部Ａには硬質材である金属棒４を嵌合させるが、金属棒４の全長は孔部Ａの全長よりも若干短く、直径が３０mm程度の錆びないステンレス製の材質とした。そして、図５に示すように、金属棒４の周りには内径３２mmで外径５０mmのゴム質の柔軟筒状部材５を被覆する。
したがって、これらの金属棒４、筒状部材５、孔部Ａの相互には僅かに隙間があるので、組み立てる際には簡単に挿入でき特別の工具等は必要がない。
また、金属棒４はゴム質の柔軟筒状部材５を被覆されているので、棹石、上台、中台、下台等が揺れても、その震動を吸収する免震作用を有する。
【００１２】
棹石３１を頂部として上台３２、中台３３、下台３４を組み立てる際の手順と相互の構成を図３と図６に基づいて説明する。
先ず、下台３４を納骨堂３６を跨ぐように設置し、その上に中台３３の貫通孔331と下台３４の孔345とが一致するように積み重ねるが、この際に、図６に示すように、中台３３の底面332の四隅に計４箇所に、約５０mm四方で厚さ約３mm程度のゴムパッド６を両面に接着剤を塗布して介在させ、積み重ねた後に、下台３４と中台３３との接合した周囲を弾性接着剤などで目地接着する。
同様に、中台３３と上台との関係も、図６に示すように、上台３２の貫通孔321と中台３３の貫通孔331とが一致するように積み重ね、上台３２の底面322の四隅の計４箇所に、前記のゴムパッド６を両面に接着剤を塗布して介在させ、積み重ねた後に、中台３３と上台３２との接合した周囲を弾性接着剤などの接着材７で目地接着する。
ここで、貫通孔321、貫通孔331、有底孔345からなる孔部Ａに、前述したゴム質の筒状部材５を被覆した金属棒４を挿入するが、金属棒４の先端は露出することになるが、その突出する部分は約３００mm程度の長さが必要であり、棹石３１の底面311の孔313の深さも３００mmよりも若干深くなっている。この長さは直下型大地震(宮城県北部地震)において、棹石３１が１００mm程度飛び跳ねたことから、実績の３倍程度を想定して得た数値である。
【００１３】
最後に、上台３２に棹石３１を組み付けるが、前記と同様に棹石の有底孔313と上台３２の貫通孔321とが一致するように積み重ね、上台３２の底面322の四隅の計４箇所に、前記のゴムパッド６を両面に接着剤を塗布して介在させる。さらに、棹石３１のズレ防止と棹石３１が単独で飛び跳ね被害が大きくなることを阻止するため、上台３２とは強固に結合する必要があり、このため、有底孔313と棹石３１の前面との中間位置、及び、有底313と棹石３１の背面との中間位置に、棹石と上台との接合面の双方にダボ孔81a,81bを設け、棹石３１と上台３２との接合には棹石と上台とに食い込むダボピン８を設ける。このダボピンは直径１０mm程度で長さ２００mm程度であり、組み立てる際はダボピン８に接着剤を塗布してダボ孔81a,81bに挿入し、積み重ねた後に、棹石３１と上台３２との接合した周囲を弾性接着剤７などで目地接着する。
なお、ダボ孔81a,81bの位置は、上台３２と棹石３１とがズレことがなく結合が強固であれば良く、上述した前後方向だけだなく、左右方向のに二箇所でもよく、また、上台３２と棹石３１が大きな場合では、ダボピン８とダボ孔81とを４本或いはそれ以上設けてもよく、適宜設計変更すればよい。
ここでいう墓石３とは、墓石と同じような石材を積み重ねる石材構築物を意味し、棹石、上台、中台、下台などに該当するものがあれば、その石材部材を意味する。
【００１４】
本実施例は、以上のような構成であるから、直下型の大きな地震が起きても、棹石３１や上台３２や中台３３や下台３４などの中心部に緩く嵌合する金属棒４を挿入したので、免震作用を有し、更に、棹石３１と上台３２などのズレたり破壊してはならない部分はダボピン８で強固に接合し、中間部分の上台や中台はゴムパッド６や弾性接着剤などの接着材７の固定手段であるので、地震などの大きな力が加わった場合には接合が外れ、これらの上台や中台は、棹石に対して多少回動して震動を逃がす免震作用を有すことから、棹石が倒れることがないので墓石自体に破損が少なく、かつ、周りの化粧枠(外柵)や敷石などにも破損被害が少ない。
【００１５】
なお、本発明の特徴を損なうものでなければ、上記の実施例に限定されるものでないことは勿論であり、例えば、金属棒４や柔軟筒状部材５や孔部Ａの直径は上記の数値に限定されるものではなく、本発明の作用効果を有するのであれば適宜変更すれば良いことは勿論である。また、前面部には通気孔を設けたが通気孔を用いないタイプの墓石に用いてもよいことは勿論である。また、中台は一個であるが、複数段にしてもよく、さらに、ゴムパッドも４個としたが必要に応じて増やしてもよいことは勿論である。
【産業上の利用可能性】
【００１６】
本発明の墓石の構造は、墓石と均等と見なされる石材を積み重ねる石材構築物の構造にも適用できることは勿論であり、技術的範囲もこれら均等の石材構築物に及ぶことは勿論である。
【図面の簡単な説明】
【００１７】
【図１】本発明の実施例の墓石を設置した墓所の全体を示した斜視図である。
【図２】本発明の実施例の墓石の断面図である。
【図３】図２の上方からの平面図である。
【図４】本発明の実施例の金属棒４と柔軟筒状部材５と孔部Ａとの関係を示す断面図である。
【図５】本発明の実施例の主要部の分解斜視図である。
【符号の説明】
【００１８】
Ａ…孔部、
１…外柵、
２…間口、21…敷石、2２…花立、23…香呂、
３…墓石、
31…棹石、311…底面、312…中腹部、312a…天井部、313…有底孔、
32…上台、321…貫通孔、322…底面、
33…中台、331…貫通孔、332…底面、
34…下台、341…底面、342…背側面、343、343a,343b…通気孔、
344…中腹部、344a…底部、345…有底孔、
35…拝石、36…納骨堂、361,361a,361b…枠体、362…腰石、363…通気孔、
４…ステンレス製金属棒、５…柔軟筒状部材、
６…ゴムパッド、７…接着材、
８…ダボピン、81a,81b…ダボ孔
【図１】
2005180130.tif 000003
【図２】
2005180130.tif 000004
【図３】
2005180130.tif 000005
【図４】
2005180130.tif 000006
【図５】
2005180130.tif 000007